(57)【特許請求の範囲】
【請求項１】
坑道に配設された検知センサーと、
前記検知センサーからの検知データを収集しデータベースサーバーとクライアントとに送る監視サーバープログラムを有する監視サーバーと、
前記検知センサーからの検知データを保存するとともにシステムに使用される設定データを保存するデータベースサーバーと、
前記設定データを登録編集する設定データ登録・編集プログラム及び前記検知データが設定の値になると警報手段を介して警報を発する監視画面プログラムを有するクライアントと、
でなる坑内監視システムであって、
前記設定データ登録・編集プログラムを起動させた時には、監視サーバープログラムにおいて前記検知データの更新をデータベースサーバーに対してのみ行いクライアントの監視画面プログラムに対しては行わないようにしたこと、
を特徴とする坑内監視システム。
【請求項２】
設定データ登録・編集プログラムの稼働終了後に、データベースサーバーから監視画面プログラムに、前記設定データ登録・編集プログラムの稼働時間帯に保存された検知データが送られて、検知データの空白部分を補充すること、
を特徴とする請求項１に記載の坑内監視システム。
【発明の詳細な説明】
【０００１】
【発明の属する技術分野】
本発明は、例えば、石炭や鉱物等の地下資源を採掘するに当たって、立坑若しくは横坑における坑内災害を未然に防止するため、自然発火の防止のため、坑内ガス噴出の監視のため、若しくは、生産監視のため、等に使用される坑内監視システムに関する。
【０００２】
【従来の技術】
従来、石炭等の地下資源の採掘は、坑道が次第に延長され、鉱脈の状況によって複雑で迷路のように進捗されていくので、坑内の安全管理が最も重要となる。そこで、例えば、一酸化炭素やメタンなどのガスを検知するガスセンサーや、火災検知のための温度センサー等を坑道の各所に配設して、当該センサーをモデム等を介して有線で地上に導出し、監視装置に接続し、監視員がモニタするように監視システムが構築されている。
【０００３】
前記各センサーは、前記監視装置におけるコンピュータからの指令により、定期的に検知データが監視装置に送られ、該検知データにより坑道マップ上に反映されるようになっている。
【０００４】
このような監視システム２０としては、図４に示すように、坑道に配置される検知センサー４と、坑道の配置を示す図面データや画面表示上に必要なシンボルデータ及びその配置データ、監視項目データなどのシステム全体で使用される設定データが入力されているとともに、検知データ用の計測値ログを含むデータベースサーバー２１と、該データベースサーバー２１から前記設定データを取り込むとともに最新の検知データを各検知センサー４に要求してその受信した検知データを、クライアント５の監視画面プログラム２４に送る監視サーバープログラム２２ａを有する監視サーバー２２と、前記データベースサーバー２１の設定データを保存・編集する設定データ登録・編集プログラム２３と、前記監視サーバー２２からの最新の検知データを時間軸上に反映させモニター７に表示させるとともに所定の場合に警報装置６を介して警報を発するか否かを処理する監視画面プログラム２４とを有するクライアント５と、から概ね構成されている。
【０００５】
【発明が解決しようとする課題】
しかしながら、従来の監視システム２０では、監視画面プログラム２４と検知データとの関係は、監視サーバー２２からの検知データの更新が直ちに反映されるようにリンクされている。よって、例えば、坑道の延長等により検知センサー４の新設若しくは移動があった場合には、坑道の図面の編集や検知センサー位置の変更を行う必要があるが、監視画面プログラム２４を一旦編集のために停止させるので、前述のようにリンクされている関係上、監視システムを停止させることとなる。これによって、設定データ登録・編集プログラム２３の編集作業中の時間帯は、図５に示すように、検知データの欠落が生じてしまう。
本発明に係る坑内監視システムは、このような課題を解消するために提案されるものである。
【０００６】
【課題を解決するための手段】
本発明に係る坑内監視システムの上記課題を解決するための要旨は、坑道に配設された検知センサーと、前記検知センサーからの検知データを収集しデータベースサーバーとクライアントとに送る監視サーバープログラムを有する監視サーバーと、前記検知センサーからの検知データを保存するとともにシステムに使用される設定データを保存するデータベースサーバーと、前記設定データを登録編集する設定データ登録・編集プログラム及び前記検知データが設定の値になると警報手段を介して警報を発する監視画面プログラムを有するクライアントと、でなる坑内監視システムであって、前記設定データ登録・編集プログラムを起動させた時には、監視サーバープログラムにおいて前記検知データの更新をデータベースサーバーに対してのみ行いクライアントの監視画面プログラムに対しては行わないようにしたことである。
【０００７】
前記設定データ登録・編集プログラムの稼働終了後に、データベースサーバーから監視画面プログラムに、前記設定データ登録・編集プログラムの稼働時間帯に保存された検知データが送られて、検知データの空白部分を補充することを含むものである。
【０００８】
本発明にかかる坑内監視プログラムの上記課題を解決する要旨は、坑道に配設された検知センサーの検知データを親局からの送信要求によって小局から親局に送信して、検知データを収集する坑内監視プログラムにおいて、前記親局から複数の小局の全部に対して送信要求を出し、予め検知データの送信の順番を定めた序列に従って小局が前記送信要求の後に親局に検知データを送信するようにしたことである。
【０００９】
本発明に係る坑内監視システムによれば、例えば、坑道の延長に伴う検知センサーの新設・移動がある場合に、設定データ登録・編集プログラムを起動させても、監視画面プログラムを停止させる必要が無く、検知データの保存が継続して行われる。そして、前記設定データ登録・編集プログラムの稼働終了後に、データベースサーバーから監視画面プログラムに、前記設定データ登録・編集プログラムの稼働時間帯に保存された検知データが送られて、検知データの空白部分が補充されて、検知データの継続性が維持されることになる。
【００１０】
【発明の実施の形態】
次に、本発明に係る坑内監視システム１について図面を参照して説明する。なお、発明の理解の容易のため従来例に対応する部分には従来例と同一符号を付けて説明する。
【００１１】
坑内監視システム１の構成は、一例として炭鉱用の坑道に使用されるものであり、図１に示すように、坑道に適宜間隔を置いて配設される検知センサー４と、前記検知センサー４からの検知データを収集しデータベースサーバー３とクライアント５とに送る監視サーバープログラム２ａを有する監視サーバー２と、前記検知センサーか４らの検知データを保存するとともにシステムに使用される設定データを保存するデータベースサーバー３と、前記設定データを登録編集する設定データ登録・編集プログラム２３及び前記検知データが設定の値になると警報手段である警報装置６を介して警報を発する監視画面プログラム２４を有するクライアント５とから概略構成されている。
【００１２】
前記設定データは、坑道の配置を示す図面データや画面表示上に必要なシンボルデータ及びその配置データ、監視項目データなどの、この坑内監視システム１の全体で使用されるものである。
【００１３】
前記監視サーバー２の監視サーバープログラム２ａでは、坑道内に配設された各検知センサー４からの検知データを収集するとともに、該検知データをクライアント５の監視画面プログラム２４に直ちに引き渡し更新するようにリンクされて、プログラムされている。
【００１４】
更に、前記監視サーバープログラム２ａは、前記設定データ登録・編集プログラム２３を起動させた際には、検知データと前記監視画面プログラム２４とのリンクを切り離し、データベースサーバー３の計測値ログには検知データを送るが、監視画面プログラム２４には、以下のように検知データを送らないようにプログラムされている。
【００１５】
即ち、図２（Ａ）に示すように、監視サーバープログラム２ａから監視画面プログラム２４への検知データの更新を、前記編集作業が終了するまで行わないように変更するか、又は、検知データとして常に「０」値を代替え検知データとして監視画面プログラム２４に送るようにして、システムの停止及び再起動をしないようにしている。
【００１６】
よって、前記設定データ登録・編集プログラム２３において、坑道の延長等により新しい坑道の道筋を示すためのマップである図面や、それに伴う新設・追加のシンボルの位置、若しくは、追加・新設する等の監視項目の編集中においても、前記監視サーバープログラム２ａは稼働しており、検知データの収集が行われデータベースサーバー３の計測値ログに送られて保存される。
【００１７】
また、前記設定データ登録・編集プログラム２３における登録・編集作業が稼働中であっても、前記新設対象若しくは移動対象の検知センサー以外の既設の検知センサーからの検知データにより、ガス濃度値等の予め設定された「しきい値」を越えることがあると、監視画面プログラム２４によって、警報装置６を介して所定の警報が発せられるものである。
【００１８】
前記設定データ登録・編集プログラム２３による編集作業によって新しい設定データがデータベースサーバー３に保存される。そして、クライアント５側において、当該編集作業終了及びデータ更新の切替ボタンがキーボードから入力されることで、新しい設定データによる監視画面の情報が監視画面プログラム２４に取り込まれるとともに、データベースサーバー３の計測値ログから、前記設定データ登録・編集プログラムの稼働時間帯中に保存された検知データが過去値として監視画面プログラム２４に取り込まれる。
【００１９】
よって、図３に示すように、過去にさかのぼって、前記設定データ登録・編集プログラム２３の設定・編集作業中の検知データが表示手段であるモニター７に表示されて、連続したデータ表示となる。このようにして、検知データの欠落が防止されるものである。
【００２０】
【発明の効果】
以上説明したように、本発明に係る坑内監視システムは、坑道に配設された検知センサーと、前記検知センサーからの検知データを収集しデータベースサーバーとクライアントとに送る監視サーバープログラムを有する監視サーバーと、前記検知センサーからの検知データを保存するとともにシステムに使用される設定データを保存するデータベースサーバーと、前記設定データを登録編集する設定データ登録・編集プログラム及び前記検知データが設定の値になると警報手段を介して警報を発する監視画面プログラムを有するクライアントと、でなる坑内監視システムであって、前記設定データ登録・編集プログラムを起動させた時には、監視サーバープログラムにおいて前記検知データの更新をデータベースサーバーに対してのみ行いクライアントの監視画面プログラムに対しては行わないようにしたので、坑道の延長等があって設定データを変更する場合でも、坑内監視システムを一旦停止させて再起動させることが無くなり、検知データの空白部分が補充されて、検知データの継続性が維持されると言う優れた効果を奏するものである。
【図面の簡単な説明】
【図１】本発明に係る坑内監視システムの構成を示す説明図である。
【図２】同本発明に係る坑内監視システムにおけるフローチャートの一部の説明図（Ａ）と、従来例に係るフローチャートの一部の説明図（Ｂ）である。
【図３】同本発明に係る坑内監視システムによる検知データの継続性を示す説明図である。
【図４】従来例に係る坑内監視システムの構成を示す説明図である。
【図５】同従来例に係る坑内監視システムにおける検知データの非継続性を示す説明図である。
【符号の説明】
１  坑内監視システム、
２  監視サーバー、
２ａ  監視画面プログラム、
３  データベースサーバー、
４  検知センサー、
５  クライアント、
６  警報装置、
７  モニター、
２３  設定データ登録・編集プログラム、
２４  監視画面プログラム。
【図１】
0003542974.tif 000002
【図２】
0003542974.tif 000003
【図３】
0003542974.tif 000004
【図４】
0003542974.tif 000005
【図５】
0003542974.tif 000006